(57)【要約】【課題】毎秒３０フレームまたは毎秒６０フィールドで撮影された動画像を、動きに不自然さを感じさせない毎秒４８フレームの動画像に変換する。【解決手段】毎秒３０フレームのプログレッシブ画像のフレームの一部を２回連続することにより、動きに不自然さを感じさせない毎秒４８フレームの画像を生成する。あるいは、その他に、毎秒６０フィールドのインタレース画像を毎秒６０フレームのプログレッシブ画像に変換し、フレームの１部を抜かすことにより、動きに不自然さを感じさせない毎秒４８フレームの画像を生成する。【選択図】  図１
2004201165.tif 000002
【特許請求の範囲】
【請求項１】
ｎを０以上の整数として、毎秒３０フレームのプログレッシブ画像の５ｎ番目、５ｎ＋２番目、５ｎ＋４番目のフレームを２回連続することにより毎秒４８フレームのプログレッシブ画像を生成することを特徴とする動画像フレームレート変換方法。
【請求項２】
ｎを０以上の整数として、毎秒６０フィールドのインタレース画像を毎秒６０フレームのプログレッシブ画像に変換し、該毎秒６０フレームのプログレッシブ画像の５ｎ＋２番目のフレームを抜かすことにより毎秒４８フレームのプログレッシブ画像を生成することを特徴とする動画像フレームレート変換方法。
【請求項３】
ｎを０以上の整数として、毎秒６０フィールドのインターレス画像を毎秒６０フレームのプログレッシブ画像に変換し、該毎秒６０フレームのプログレッシブ画像の５ｎ＋３番目のフレームを抜かすことにより毎秒４８フレームのプログレッシブ画像を生成することを特徴とする動画像フレームレート変換方法。
【発明の詳細な説明】
【０００１】
【発明の属する技術分野】
本発明は、動画像のフレームレートを変換する技術に属する。
【０００２】
【従来の技術】
毎秒２４フレームで撮影した映画を毎秒６０フィールドのテレビやビデオで表示する場合、２−３変換と呼ばれる方式でフレームレートを変換し、毎秒６０フィールドのインタレース画像を生成する。この２−３変換方式では、図４に示すとおりに、毎秒２４フレームの入力画像の偶数番目フレームを２回連続させ、奇数番目フレームの画像を３回連続させ、各フレームをインタレース走査して毎秒６０フィールドのインタレース画像を生成する。つまり、毎秒２４フレームの画像の２ｎ番目のフレームを、毎秒６０フィールドのインタレース画像の５ｎ番目フィールドと５ｎ＋１番目フィールドにし、毎秒２４フレームの画像の２ｎ＋１番目のフレームを、毎秒６０フィールドの画像の５ｎ＋２番目と５ｎ＋３番目と５ｎ＋４番目フィールドにする。ここでは、ｎは０以上の整数とする。この変換により、動きに不自然さを感じさせない毎秒６０フィールドの動画像を生成できる。
【０００３】
また、毎秒６０フィールドのインタレース画像であるテレビ番組を毎秒６０フレームプログレッシブ画像に変換して表示するプログレッシブテレビが開発されている。毎秒６０フィールドのインタレース画像から毎秒６０フレームのプログレッシブに変換するためには、各フィールドで走査していない走査線の画像を補間する必要がある。その方法は様々あるが、その一つに動き適応型・走査線補間方式がある。この方式では、動きのない領域では、走査されていない走査線の画像を前フィールドの画像をそのまま使い、動きのある領域では、走査されていない走査線の画像を同じフィールド内の上下の画像から予測して補間して埋める。
【０００４】
なお、先行公知文献には、下記の非特許文献がある。
【０００５】
【非特許文献】
野尻裕司、“方式変換装置を応用したテレシネ画像の画質改善”ＮＨＫ技研だより、１９９６年１０月号、http://www.nhk.or.jp/dtrl/publica/dayori/dayori9610/kaisetsu1-j.html
【０００６】
【発明が解決しようとする課題】
最近、映画フィルムをディジタル化し、データプロジェクタで表示するディジタルシネマシステムが開発されている。ディジタルシネマのデータプロジェクタでは、表示したときにちらつきが感じられないように映画のフィルムレート毎秒２４フレームを２倍にし、毎秒４８フレームで表示するようになっているものがある。一方、テレビカメラなどの動画カメラは、毎秒３０フレームのプログレッシブ画像または毎秒６０フィールドのインタレース画像に撮影するものが多い。これらのカメラで撮影された動画像を表示レートが毎秒４８フレームのデータプロジェクタで表示するためには、毎秒３０フレームのプログレッシブまたは毎秒６０フィールドのインタレース画像を毎秒４８フレームに変換する必要がある。
【０００７】
本発明は、毎秒３０フレームまたは毎秒６０フィールドで撮影された動画像を、動きに不自然さを感じさせない毎秒４８フレームの動画像に変換する方法を提案することが課題である。
【０００８】
【課題を解決するための手段】
上記の課題を解決するために、本発明は、ｎを０以上の整数として、毎秒３０フレームのプログレッシブ画像の５ｎ番目、５ｎ＋２番目、５ｎ＋４番目のフレームを２回連続することにより毎秒４８フレームのプログレッシブ画像を生成することを特徴とする動画像フレームレート変換方法を、その解決の手段とする。
【０００９】
あるいは、ｎを０以上の整数として、毎秒６０フィールドのインタレース画像を毎秒６０フレームのプログレッシブ画像に変換し、該毎秒６０フレームのプログレッシブ画像の５ｎ＋２番目のフレームを抜かすことにより毎秒４８フレームのプログレッシブ画像を生成することを特徴とする動画像フレームレート変換方法を、その解決の手段とする。
【００１０】
あるいは、ｎを０以上の整数として、毎秒６０フィールドのインターレス画像を毎秒６０フレームのプログレッシブ画像に変換し、該毎秒６０フレームのプログレッシブ画像の５ｎ＋３番目のフレームを抜かすことにより毎秒４８フレームのプログレッシブ画像を生成することを特徴とする動画像フレームレート変換方法を、その解決の手段とする。
【００１１】
本発明では、毎秒３０フレームのプログレッシブ画像のフレームの一部を２回連続することにより、あるいは、毎秒６０フィールドのインタレース画像を毎秒６０フレームのプログレッシブ画像に変換し、フレームの１部を抜かすことにより、動きに不自然さを感じさせない毎秒４８フレームの画像を生成する。
【００１２】
【発明の実施の形態】
以下、本発明の実施の形態について図を用いて詳細に説明する。
【００１３】
［実施形態１］
本発明の第１の実施形態による毎秒３０フレームのプログレッシブ画像を毎秒４８フレームのプログレッシブ画像に変換する方法を図１に示す。
【００１４】
本方法では、毎秒３０フレームの画像の５ｎ番目、５ｎ＋２番目、５ｎ＋４番目のフレームを２回連続させ、その他の５ｎ＋１番目、５ｎ＋３番目のフレームはそのままにして毎秒４８フレームの画像を生成する。ただし、ｎは０以上の整数とする。つまり、毎秒３０フレームの画像の５ｎ番目のフレームを、毎秒４８フレームの画像の８ｎ番目フレームと８ｎ＋１番目フレームにし、毎秒３０フレームの画像の５ｎ＋１番目のフレームを、毎秒４８フレームの画像の８ｎ＋２番目フレームとし、毎秒３０フレームの画像の５ｎ＋２番目のフレームを、毎秒４８フレームの画像の８ｎ＋３番目と８ｎ＋４番目フレームとし、毎秒３０フレームの画像の５ｎ＋３番目のフレームを、毎秒４８フレームの画像の８ｎ＋５番目フレームとし、毎秒３０フレームの画像の５ｎ＋４番目のフレームを、毎秒４８フレームの画像の８ｎ＋６番目と８ｎ＋７番目フレームとする。この変換により、動きに不自然さを感じさせない毎秒４８フレームの動画像を生成することができる。
【００１５】
［実施形態２］
本発明の第２の実施形態による毎秒６０フィールドのインタレース画像を毎秒４８フレームに変換する方法を図２に示す。
【００１６】
本方法では、最初に適応型・走査線補間方式等を用いて、毎秒６０フィールドのインタレース画像を毎秒６０フレームのプログレッシブ画像に変換する。その次に、毎秒６０フレームのプログレッシブ画像の５ｎ＋２番目のフレームを抜かして、毎秒４８フレームにプログレッシブ画像を生成する。ただし、ｎは０以上の整数とする。つまり、図３に示すとおりに、毎秒６０フレームの画像の５ｎ番目のフレームを、毎秒４８フレームの画像の４ｎ番目フレームにし、毎秒６０フレームの画像の５ｎ＋１番目のフレームを、毎秒４８フレームの画像の４ｎ＋１番目フレームとし、毎秒６０フレームの画像の５ｎ＋３番目のフレームを、毎秒４８フレームの画像の４ｎ＋２番目フレームとし、毎秒６０フレームの画像の５ｎ＋４番目のフレームを、毎秒４８フレームの画像の４ｎ＋３番目フレームとする。この変換により、動きに不自然さを感じさせない毎秒４８フレームの動画像を生成することができる。
【００１７】
［実施形態３］
本発明の第３の実施形態による毎秒６０フィールドのインタレース画像を毎秒４８フレームのプログレッシブ画像に変換する方法を図３に示す。
【００１８】
前述の第２の実施形態では、インタレース画像から変換して得られた毎秒６０フレームのプログレッシブ画像の５ｎ＋２番目のフレームを抜かして、毎秒４８フレームに変換したが、本実施形態では、５ｎ＋２番目のフレームの代わりに５ｎ＋３番目のフレームを抜かす。つまり、図４に示すとおりに、毎秒６０フレームの画像の５ｎ番目のフレームを、毎秒４８フレームの画像の４ｎ番目フレームにし、毎秒６０フレームの画像の５ｎ＋１番目のフレームを、毎秒４８フレームの画像の４ｎ＋１番目フレームとし、毎秒６０フレームの画像の５ｎ＋２番目のフレームを、毎秒４８フレームの画像の４ｎ＋２番目フレームとし、毎秒６０フレームの画像の５ｎ＋４番目のフレームを、毎秒４８フレームの画像の４ｎ＋３番目フレームとする。この変換により、動きに不自然さを感じさせない毎秒４８フレームの動画像を生成することができる。
【００１９】
なお、本発明は、コンピュータ等の制御手段を用いて、毎秒３０フレームのプログレッシブ画像または毎秒６０フィールドのインタレース画像を一時記憶手段に取り込み、データ格納用の記憶手段やデータ記録用の記録媒体、あるいは毎秒４８フレームのデータプロジェクタ等の表示装置に対し、上記の実施形態の方法により生成された毎秒４８フレームの動画像を、順次、格納または記録または出力して行くことでも実施可能である。この場合、画像の取り込みの手順と格納または記録または出力の手順とをプログラムとして構成し、これを記録媒体、例えば、フレキシブルディスクや、ＭＯ、ＲＯＭ、メモリカード、ＣＤ、ＤＶＤ、リムーバブルディスクなどに記録して提供したり、ネットワークを用いた通信により提供したりすることが可能であり、提供されたプログラムを上記コンピュータ等の制御手段にインストールすることで、本発明が実施可能となる。
【００２０】
【発明の効果】
以上の説明で明らかなように、本発明によれば、毎秒３０フレームのプログレッシブ画像または毎秒６０フィールドのインタレース画像を毎秒４８フレームのプログレッシブ画像に変換するため、毎秒３０フレームまたは毎秒６０フィールドで撮影した画像を、動きに不自然さを感じさせずに毎秒４８フレームの表示装置で表示することが可能になる。
【図面の簡単な説明】
【図１】本発明の第１の実施形態によるフレームレートの変換方法を示す図
【図２】本発明の第２の実施形態によるフレームレートの変換方法を示す図
【図３】本発明の第３の実施形態によるフレームレートの変換方法を示す図
【図４】従来の２−３変換によるフレームレートの変換方法を示す図
【図１】
2004201165.tif 000003
【図２】
2004201165.tif 000004
【図３】
2004201165.tif 000005
【図４】
2004201165.tif 000006